(57)【特許請求の範囲】
【請求項１】
水回りに配置される本体部と、
前記本体部の外側から入射する光の光量に応じて発電を行うとともに、前記本体部の外側に向けて光を照射する発光素子又は前記本体部の外側から入射する光を受光する受光素子としても機能可能な光発電素子と、
前記光発電素子の発電量に応じて、前記本体部の周囲の照度が所定値以上であるか否かを検出する光検出回路と、
前記光発電素子に発電を行わせ、前記光検出回路に前記照度を検出させる状態変化検知モードと、前記光発電素子を前記発光素子又は前記受光素子として機能させ、前記発光素子からの光の照射又は前記受光素子による光信号の受信を所定の動作として実行する動作実行モードと、を有する制御部と、
を備え、
前記制御部は、前記状態変化検知モードにおいて、前記照度が前記所定値以上であると検出された際に、前記状態変化検知モードから前記動作実行モードに切り替わり、前記所定の動作が終了し、所定の時間が経過した後、前記動作実行モードから前記状態変化検知モードに戻ることを特徴とする水回り機器。
【請求項２】
前記光発電素子は、赤外光を照射する発光素子であることを特徴とする請求項１記載の水回り機器。
【請求項３】
前記光発電素子は、前記本体部に上方に向けて設けられることを特徴とする請求項２記載の水回り機器。
【請求項４】
前記本体部に設けられ、前記制御部に所定の操作指示を入力する操作部をさらに備え、
前記制御部は、前記状態変化検知モードにおいて、前記照度が前記所定値以上であると検出された際に、前記操作指示の入力に応答して前記動作実行モードに切り替わり、前記操作指示に対応した光信号の前記発光素子からの送信を前記所定の動作として実行することを特徴とする請求項２又は３に記載の水回り機器。
【請求項５】
前記光発電素子は、可視光を照射する発光素子であり、
前記制御部は、前記状態変化検知モードにおいて、前記照度が前記所定値以上であると検出された際に、前記発光素子からの可視光の照射を前記所定の動作として実行することを特徴とする請求項１記載の水回り機器。
【請求項６】
前記光発電素子は、赤外光の光信号を受信する受光素子であり、
前記制御部は、前記状態変化検知モードにおいて、前記照度が前記所定値以上であると検出された際に、前記光信号の受信を前記所定の動作として実行することを特徴とする請求項１記載の水回り機器。
【請求項７】
トイレ装置に所定の操作指示を送信するトイレ用のリモコン装置であって、
本体部と、
前記本体部の外側から入射する光の光量に応じて発電を行うとともに、前記本体部の外側に向けて光を照射する発光素子又は前記本体部の外側から入射する光を受光する受光素子としても機能可能な光発電素子と、
前記光発電素子の発電量に応じて、前記本体部の周囲の照度が所定値以上であるか否かを検出する光検出回路と、
前記光発電素子に発電を行わせ、前記光検出回路に前記照度を検出させる状態変化検知モードと、前記光発電素子を前記発光素子又は前記受光素子として機能させ、前記発光素子からの光の照射又は前記受光素子による光信号の受信を所定の動作として実行する動作実行モードと、を有する制御部と、
前記本体部に設けられ、前記制御部に所定の操作指示を入力する操作部と、
を備え、
前記制御部は、前記状態変化検知モードにおいて、前記照度が前記所定値以上であると検出された際に、前記状態変化検知モードから前記動作実行モードに切り替わり、前記所定の動作が終了し、所定の時間が経過した後、前記動作実行モードから前記状態変化検知モードに戻ることを特徴とするリモコン装置。
【請求項８】
前記本体部の幅方向に並ぶ２つの前記光発電素子を備え、
前記制御部は、前記２つの光発電素子のうちの前記本体部の設置空間の入口に近い側の前記光発電素子のみで、前記照度の検出を行うことを特徴とする請求項７記載のリモコン装置。
【請求項９】
前記２つの光発電素子は、赤外光の光信号を前記トイレ装置に送信する発光素子であり、
前記制御部は、前記２つの光発電素子のうちの前記トイレ装置に近い側の前記光発電素子のみで、前記光信号の送信を行うことを特徴とする請求項８記載のリモコン装置。
【請求項１０】
前記２つの光発電素子のそれぞれに対応して設けられた２つの前記光検出回路を備え、
前記制御部は、前記２つの光検出回路のそれぞれの検出結果を基に、前記２つの光発電素子について、前記設置空間の入口に近い前記光発電素子と、前記トイレ装置に近い前記光発電素子と、を識別することを特徴とする請求項８又は９に記載のリモコン装置。
【請求項１１】
本体部と、
前記本体部の外側から入射する光の光量に応じて発電を行うとともに、前記本体部の外側に向けて光を照射する発光素子又は前記本体部の外側から入射する光を受光する受光素子としても機能可能な光発電素子と、
前記光発電素子の発電量に応じて、前記本体部の周囲の照度が所定値以上であるか否かを検出する光検出回路と、
前記光発電素子に発電を行わせ、前記光検出回路に前記照度を検出させる状態変化検知モードと、前記光発電素子を前記発光素子又は前記受光素子として機能させ、前記発光素子からの光の照射又は前記受光素子による光信号の受信を所定の動作として実行する動作実行モードと、を有する制御部と、
を備え、
前記制御部は、前記状態変化検知モードにおいて、前記照度が前記所定値以上であると検出された際に、前記状態変化検知モードから前記動作実行モードに切り替わり、前記所定の動作が終了し、所定の時間が経過した後、前記動作実行モードから前記状態変化検知モードに戻ることを特徴とするトイレ装置。
【発明の詳細な説明】
【技術分野】
【０００１】
本発明の態様は、一般的に、水回り機器、リモコン装置、及びトイレ装置に関する。
【背景技術】
【０００２】
トイレ室や浴室などの水回りの空間で用いられる水回り機器がある。水回り機器としては、例えば、トイレに取り付けて使用されるトイレ装置や、このトイレ装置と組み合わせて使用されるリモコン装置などが挙げられる。リモコン装置は、例えば、操作部を有し、操作部の操作に応じて所定の操作指示をトイレ装置に送信する。トイレ装置には、例えば、使用者の局部を洗浄する衛生洗浄装置などが含まれる。
【０００３】
こうした水回り機器においては、発光素子や受光素子を設けることが行われている（例えば、特許文献１）。発光素子は、例えば、動作状態の表示や赤外線通信の送信部などに用いられる。受光素子は、例えば、赤外線通信の受信部などに用いられる。
【０００４】
また、水回り機器では、例えば、周囲の状態の変化を検知することにより、使用者による使用の開始を事前に検知することが行われている。例えば、衛生洗浄装置では、使用の開始を事前に検知し、便蓋の開閉や便座の暖房などを制御している。
【０００５】
しかしながら、発光素子や受光素子を用いた動作を行う場合に、周囲の状態の変化を検知するための検知センサなどを水回り機器に別途設けると、水回り機器の大型化や消費電力の増加を招いてしまう。このため、水回り機器では、発光素子又は受光素子を用いた動作と、周囲の状態の変化の検知と、をより簡単な構成で実現できるようにすることが望まれている。
【先行技術文献】
【特許文献】
【０００６】
【特許文献１】特開２０１４−３１６０９号公報
【発明の概要】
【発明が解決しようとする課題】
【０００７】
本発明は、かかる課題の認識に基づいてなされたものであり、発光素子又は受光素子を用いた動作と、周囲の状態の変化の検知と、を簡単な構成で実現できる水回り機器、リモコン装置、及びトイレ装置を提供することを目的とする。
【課題を解決するための手段】
【０００８】
第１の発明は、水回りに配置される本体部と、前記本体部の外側から入射する光の光量に応じて発電を行うとともに、前記本体部の外側に向けて光を照射する発光素子又は前記本体部の外側から入射する光を受光する受光素子としても機能可能な光発電素子と、前記光発電素子の発電量に応じて、前記本体部の周囲の照度が所定値以上であるか否かを検出する光検出回路と、前記光発電素子に発電を行わせ、前記光検出回路に前記照度を検出させる状態変化検知モードと、前記光発電素子を前記発光素子又は前記受光素子として機能させ、前記発光素子からの光の照射又は前記受光素子による光信号の受信を所定の動作として実行する動作実行モードと、を有する制御部と、を備え、前記制御部は、前記状態変化検知モードにおいて、前記照度が前記所定値以上であると検出された際に、前記状態変化検知モードから前記動作実行モードに切り替わり、前記所定の動作が終了し、所定の時間が経過した後、前記動作実行モードから前記状態変化検知モードに戻ることを特徴とする水回り機器である。
【０００９】
この水回り機器によれば、光発電素子の発電量を基に、本体部の周囲の照度が所定値以上であるか否かを検出するとともに、光発電素子を発光素子又は受光素子として機能させ、所定の動作を実行する。すなわち、発光素子又は受光素子を用いた動作と、周囲の状態の変化の検知と、を光発電素子によって兼用することができる。従って、発光素子や受光素子を用いた動作を行う場合にも、周囲の状態の変化を検知するための検知センサなどを別途設ける必要がなく、発光素子又は受光素子を用いた動作と、周囲の状態の変化の検知と、を簡単な構成で実現することができる。
【００１０】
第２の発明は、第１の発明において、前記光発電素子は、赤外光を照射する発光素子であることを特徴とする水回り機器である。
【００１１】
この水回り機器によれば、例えば、赤外線通信の送信部に用いられる発光素子を照度の検出に兼用させることができ、発光素子を用いた動作と、周囲の状態の変化の検知と、を簡単な構成で実現することができる。
【００１２】
第３の発明は、第２の発明において、前記光発電素子は、前記本体部に上方に向けて設けられることを特徴とする水回り機器である。
【００１３】
この水回り機器によれば、例えば、発光素子から送信される光信号を、水回り機器の設置空間の天井に向けて発信することができ、天井での反射を介して他の機器の受信部などに光信号を適切に入射させることができる。
【００１４】
第４の発明は、第２又は第３の発明において、前記本体部に設けられ、前記制御部に所定の操作指示を入力する操作部をさらに備え、前記制御部は、前記状態変化検知モードにおいて、前記照度が前記所定値以上であると検出された際に、前記操作指示の入力に応答して前記動作実行モードに切り替わり、前記操作指示に対応した光信号の前記発光素子からの送信を前記所定の動作として実行することを特徴とする水回り機器である。
【００１５】
この水回り機器によれば、例えば、赤外線通信の送信部に用いられる発光素子を照度の検出に兼用させた場合に、操作部からの操作指示の入力に応答して、適切に光信号の送信を行うことができる。
【００１６】
第５の発明は、第１の発明において、前記光発電素子は、可視光を照射する発光素子であり、前記制御部は、前記状態変化検知モードにおいて、前記照度が前記所定値以上であると検出された際に、前記発光素子からの可視光の照射を前記所定の動作として実行することを特徴とする水回り機器である。
【００１７】
この水回り機器によれば、例えば、動作状態の表示などを行う発光素子を照度の検出に兼用させることができ、発光素子を用いた動作と、周囲の状態の変化の検知と、を簡単な構成で実現することができる。
【００１８】
第６の発明は、第１の発明において、前記光発電素子は、赤外光の光信号を受信する受光素子であり、前記制御部は、前記状態変化検知モードにおいて、前記照度が前記所定値以上であると検出された際に、前記光信号の受信を前記所定の動作として実行することを特徴とする水回り機器である。
【００１９】
この水回り機器によれば、例えば、赤外線通信の受信部に用いられる受光素子を照度の検出に兼用させることができ、発光素子を用いた動作と、周囲の状態の変化の検知と、を簡単な構成で実現することができる。
【００２０】
第７の発明は、トイレ装置に所定の操作指示を送信するトイレ用のリモコン装置であって、本体部と、前記本体部の外側から入射する光の光量に応じて発電を行うとともに、前記本体部の外側に向けて光を照射する発光素子又は前記本体部の外側から入射する光を受光する受光素子としても機能可能な光発電素子と、前記光発電素子の発電量に応じて、前記本体部の周囲の照度が所定値以上であるか否かを検出する光検出回路と、前記光発電素子に発電を行わせ、前記光検出回路に前記照度を検出させる状態変化検知モードと、前記光発電素子を前記発光素子又は前記受光素子として機能させ、前記発光素子からの光の照射又は前記受光素子による光信号の受信を所定の動作として実行する動作実行モードと、を有する制御部と、前記本体部に設けられ、前記制御部に所定の操作指示を入力する操作部と、を備え、前記制御部は、前記状態変化検知モードにおいて、前記照度が前記所定値以上であると検出された際に、前記状態変化検知モードから前記動作実行モードに切り替わり、前記所定の動作が終了し、所定の時間が経過した後、前記動作実行モードから前記状態変化検知モードに戻ることを特徴とするリモコン装置である。
【００２１】
このリモコン装置によれば、光発電素子の発電量を基に、本体部の周囲の照度が所定値以上であるか否かを検出するとともに、光発電素子を発光素子又は受光素子として機能させ、所定の動作を実行する。すなわち、発光素子又は受光素子を用いた動作と、周囲の状態の変化の検知と、を光発電素子によって兼用することができる。従って、発光素子や受光素子を用いた動作を行う場合にも、周囲の状態の変化を検知するための検知センサなどを別途設ける必要がなく、発光素子又は受光素子を用いた動作と、周囲の状態の変化の検知と、を簡単な構成で実現することができる。
【００２２】
第８の発明は、第７の発明において、前記本体部の幅方向に並ぶ２つの前記光発電素子を備え、前記制御部は、前記２つの光発電素子のうちの前記本体部の設置空間の入口に近い側の前記光発電素子のみで、前記照度の検出を行うことを特徴とするリモコン装置である。
【００２３】
このリモコン装置によれば、２つの光発電素子の双方で照度の検出を行う場合に比べて、消費電力を抑制しつつ、適切に照度の検出を行うことができる。
【００２４】
第９の発明は、第８の発明において、前記２つの光発電素子は、赤外光の光信号を前記トイレ装置に送信する発光素子であり、前記制御部は、前記２つの光発電素子のうちの前記トイレ装置に近い側の前記光発電素子のみで、前記光信号の送信を行うことを特徴とするリモコン装置である。
【００２５】
このリモコン装置によれば、２つの光発電素子の双方から光信号を出力する場合に比べて、光信号の送信にともなう消費電力を抑制することができる。また、トイレ装置に近い側から送信することで、一方の光発電素子からのみ光信号を送信する場合にも、光信号を適切にトイレ装置に受信させることができる。
【００２６】
第１０の発明は、第８の発明又は第９の発明において、前記２つの光発電素子のそれぞれに対応して設けられた２つの前記光検出回路を備え、前記制御部は、前記２つの光検出回路のそれぞれの検出結果を基に、前記２つの光発電素子について、前記設置空間の入口に近い前記光発電素子と、前記トイレ装置に近い前記光発電素子と、を識別することを特徴とするリモコン装置である。
【００２７】
このリモコン装置によれば、設置空間の形状や使用者の好みなどによって、本体部の取り付けの向きが変わる場合においても、入口に近い光発電素子やトイレ装置に近い光発電素子を逐一設定する必要がなく、設定の作業などを省略することができる。例えば、リモコン装置の取り付け時の作業性を向上させることができる。
【００２８】
第１１の発明は、本体部と、前記本体部の外側から入射する光の光量に応じて発電を行うとともに、前記本体部の外側に向けて光を照射する発光素子又は前記本体部の外側から入射する光を受光する受光素子としても機能可能な光発電素子と、前記光発電素子の発電量に応じて、前記本体部の周囲の照度が所定値以上であるか否かを検出する光検出回路と、前記光発電素子に発電を行わせ、前記光検出回路に前記照度を検出させる状態変化検知モードと、前記光発電素子を前記発光素子又は前記受光素子として機能させ、前記発光素子からの光の照射又は前記受光素子による光信号の受信を所定の動作として実行する動作実行モードと、を有する制御部と、を備え、前記制御部は、前記状態変化検知モードにおいて、前記照度が前記所定値以上であると検出された際に、前記状態変化検知モードから前記動作実行モードに切り替わり、前記所定の動作が終了し、所定の時間が経過した後、前記動作実行モードから前記状態変化検知モードに戻ることを特徴とするトイレ装置である。
【００２９】
このトイレ装置によれば、光発電素子の発電量を基に、本体部の周囲の照度が所定値以上であるか否かを検出するとともに、光発電素子を発光素子又は受光素子として機能させ、所定の動作を実行する。すなわち、発光素子又は受光素子を用いた動作と、周囲の状態の変化の検知と、を光発電素子によって兼用することができる。従って、発光素子や受光素子を用いた動作を行う場合にも、周囲の状態の変化を検知するための検知センサなどを別途設ける必要がなく、発光素子又は受光素子を用いた動作と、周囲の状態の変化の検知と、を簡単な構成で実現することができる。
【発明の効果】
【００３０】
本発明の態様によれば、発光素子又は受光素子を用いた動作と、周囲の状態の変化の検知と、を簡単な構成で実現できる水回り機器、リモコン装置、及びトイレ装置を提供することができる。
【図面の簡単な説明】
【００３１】
【図１】図１（ａ）及び図１（ｂ）は、第１の実施形態に係るトイレユニットを表す斜視図である。
【図２】図２（ａ）及び図２（ｂ）は、第１の実施形態に係る受信部及び表示部の一例を表す平面図である。
【図３】第１の実施形態にかかる衛生洗浄装置の要部構成を表すブロック図である。
【図４】第１の実施形態に係るリモコン装置を表す平面図である。
【図５】第１の実施形態に係るリモコン装置の電気的構成を表すブロック図である。
【図６】第１の実施形態に係るトイレユニットの動作の一例を表すフローチャートである。
【図７】第１の実施形態に係るトイレユニットの動作の一例を表すタイミングチャートである。
【図８】第１の実施形態に係るリモコン装置の変形例を表すブロック図である。
【図９】図９（ａ）及び図９（ｂ）は、トイレユニットの設置例を表す平面図である。
【図１０】第２の実施形態に係るリモコン装置を表す平面図である。
【図１１】第２の実施形態に係るリモコン装置の電気的構成を表すブロック図である。
【図１２】第２の実施形態に係るトイレユニットの動作の一例を表すフローチャートである。
【図１３】第２の実施形態に係るトイレユニットの動作の一例を表すタイミングチャートである。
【図１４】第３の実施形態に係るリモコン装置の電気的構成を表すブロック図である。
【図１５】第４の実施形態に係る衛生洗浄装置の一部の電気的構成を表すブロック図である。
【図１６】第４の実施形態に係るトイレユニットの動作の一例を表すフローチャートである。
【図１７】第４の実施形態に係るトイレユニットの動作の一例を表すタイミングチャートである。
【図１８】第５の実施形態に係る衛生洗浄装置の一部の電気的構成を表すブロック図である。
【図１９】第５の実施形態に係るトイレユニットの動作の一例を表すフローチャートである。
【図２０】第５の実施形態に係るトイレユニットの動作の一例を表すタイミングチャートである。
【発明を実施するための形態】
【００３２】
以下、本発明の実施の形態について図面を参照しつつ説明する。なお、各図面中、同様の構成要素には同一の符号を付して詳細な説明は適宜省略する。  
（第１の実施形態）  
図１（ａ）及び図１（ｂ）は、第１の実施形態に係るトイレユニットを表す斜視図である。  
図１（ａ）及び図１（ｂ）に表したように、水回り機器の一例であるトイレユニット１０は、トイレ本体１００と、リモコン装置２００と、を備える。トイレ本体１００は、洋式腰掛便器１１０（以下、便器１１０と称す）と、その上に設けられた衛生洗浄装置１２０（トイレ装置）と、を備える。
【００３３】
リモコン装置２００は、本体部２０２と、本体部２０２に設けられた操作部２０４と、を有する。操作部２０４は、例えば、複数設けられる。リモコン装置２００は、トイレ室の壁面などに取り付けられた状態で使用され、各操作部２０４の操作を検出し、操作された操作部２０４に応じた無線信号を衛生洗浄装置１２０に送信する。衛生洗浄装置１２０は、リモコン装置２００から送信された無線信号を受信し、その無線信号に応じた動作を実行する。このように、リモコン装置２００は、使用者の操作に応じて、所定の動作の実行を衛生洗浄装置１２０に指示し、衛生洗浄装置１２０を遠隔操作する。
【００３４】
衛生洗浄装置１２０とリモコン装置２００との間の無線通信には、例えば、赤外光を用いた赤外線通信が用いられる。リモコン装置２００は、例えば、赤外光の光信号を衛生洗浄装置１２０に送信する。衛生洗浄装置１２０は、光信号を受信し、光信号に応じた動作を実行する。衛生洗浄装置１２０とリモコン装置２００との間の赤外線通信に用いられる赤外光の波長は、例えば、０．７μｍ〜２．５μｍ程度である。
【００３５】
便器１１０は、ボウル部１１２を有する。ボウル部１１２は、便器１１０の上部に設けられる。ボウル部１１２は、便器１１０の上面１１０ａよりも凹んだ凹状である。ボウル部１１２は、使用者から排泄された汚物や尿などを受ける。また、ボウル部１１２は、内部に水を貯留し、排水管から悪臭や害虫類などが室内に侵入することを防ぐ。
【００３６】
衛生洗浄装置１２０は、本体部１２２と、便座１２４と、便蓋１２６と、を有する。便座１２４と便蓋１２６とは、本体部１２２に対して開閉可能にそれぞれ軸支されている。便蓋１２６は、閉じた状態において便座１２４の上方を覆う。なお、便蓋１２６は、必ずしも設けられていなくてもよい。図１（ａ）は、便蓋１２６が開いた状態を表している。図１（ｂ）では、便宜的に便座１２４及び便蓋１２６の図示を省略している。
【００３７】
衛生洗浄装置１２０は、例えば、衛生洗浄機能、局部乾燥機能、便座暖房機能、及び脱臭機能などの種々の機能を有する。衛生洗浄機能は、便座１２４に座った使用者の「おしり」などを洗浄する洗浄動作を行う機能である。局部乾燥機能は、便座１２４に座った使用者の「おしり」などに温風を吹き付けることにより、衛生洗浄によって濡れた「おしり」などを乾燥させる乾燥動作を行う機能である。便座暖房機能は、便座１２４の着座面を適温に温める便座加熱動作を行う機能である。脱臭機能は、ボウル部１１２内の脱臭を行う機能である。
【００３８】
衛生洗浄機能では、例えば、使用者の操作に応じて、人体局部に向けて洗浄水を吐水するノズル１３０を本体部１２２から便器１１０のボウル部１１２内に進出させる。そして、ノズル１３０の先端付近に設けられた吐水口から洗浄水を噴射する。これにより、使用者の「おしり」などを洗浄することができる。ノズル１３０は、衛生洗浄機能を実行していない状態では、本体部１２２内に収納される。
【００３９】
また、衛生洗浄機能は、例えば、使用者の「おしり」に向けて洗浄水を噴射するおしり洗浄機能と、女性局部に向けて洗浄水を噴射するビデ洗浄機能と、を含む。衛生洗浄機能では、冷水のみならず、ヒータなどによって加熱した温水を洗浄水として吐水口から噴射することもできる。
【００４０】
本体部１２２は、便器１１０の上部後方に設置される。本体部１２２の前面は、例えば、ボウル部１１２の開口端の形状に沿って凹状に湾曲する。本体部１２２の前面には、ノズルダンパー１３６と温風ダンパー１３８とが設けられている。ノズルダンパー１３６は、ノズル１３０を進出及び後退させる開口部を覆う閉止部材である。温風ダンパー１３８は、ノズルダンパー１３６の右側に並べて配置されている。温風ダンパー１３８は、局部乾燥用の温風の吹出口を覆う閉止部材である。ノズルダンパー１３６及び温風ダンパー１３８は、例えば、本体部１２２に回動可能に支持されている。
【００４１】
ノズルダンパー１３６は、例えば、支持軸を中心に回転することにより、開口部を覆う閉じ位置と、開口部を露出させる開き位置との間で移動する。ノズルダンパー１３６は、衛生洗浄機能を実行していない待機状態において、閉じ位置に保持される。そして、ノズルダンパー１３６は、衛生洗浄機能の実行によってノズル１３０が進出する際に、開き位置に移動する。
【００４２】
温風ダンパー１３８は、例えば、支持軸を中心に回転することにより、吹出口を覆う閉じ位置と、吹出口を露呈させる開き位置との間で移動する。温風ダンパー１３８は、局部乾燥機能を実行していない待機状態において、閉じ位置に保持される。そして、温風ダンパー１３８は、局部乾燥機能の実行によって使用者の「おしり」などに温風を吹き付ける際に、開き位置に移動する。
【００４３】
また、本体部１２２の上部には、受信部１４０と、表示部１４４と、が設けられている。受信部１４０は、本体部１２２の上部後方に設けられる。受信部１４０は、リモコン装置２００から送信された赤外光の光信号を受信する。表示部１４４は、本体部１２２の上部前方に設けられる。表示部１４４は、衛生洗浄装置１２０の動作の状態を表示する。受信部１４０の位置は、光信号の受信が可能な任意の位置でよい。表示部１４４の位置は、使用者が見易い任意の位置でよい。
【００４４】
図２（ａ）及び図２（ｂ）は、第１の実施形態に係る受信部及び表示部の一例を表す平面図である。  
図２（ａ）に表したように、受信部１４０は、例えば、赤外線透過窓１４１と、受光素子１４２と、を有する。赤外線透過窓１４１は、本体部１２２に設けられた開口を塞ぐように取り付けられ、リモコン装置２００から送信された赤外光の光信号を透過させる。受光素子１４２は、赤外線透過窓１４１と対向して設けられ、赤外線透過窓１４１を介して本体部１２２の外側から入射する光信号を受光する。受光素子１４２は、例えば、上方を向いて本体部１２２内に設けられる。これにより、天井などで反射した光信号を適切に受光することができる。受光素子１４２には、例えば、赤外光に対して感度を有するフォトダイオードが用いられる。
【００４５】
図２（ｂ）に表したように、表示部１４４は、複数の表示窓１４５ａ〜１４５ｄと、複数の発光素子１４６ａ〜１４６ｄと、を有する。各表示窓１４５ａ〜１４５ｄは、本体部１２２に設けられた開口を塞ぐように取り付けられる。各表示窓１４５ａ〜１４５ｄは、可視光に対して光透過性を有する。各発光素子１４６ａ〜１４６ｄは、各表示窓１４５ａ〜１４５ｄと対向して設けられ、各表示窓１４５ａ〜１４５ｄを介して本体部１２２の外側に向けて可視光を照射する。
【００４６】
このように、表示部１４４は、各発光素子１４６ａ〜１４６ｄの点灯及び消灯により、衛生洗浄装置１２０の動作の状態を表示する。表示部１４４は、例えば、衛生洗浄装置１２０が運転状態か否か、便座１２４の加熱を行っているか否か、衛生洗浄装置１２０が節電状態か否か、ボウル部１１２やノズル１３０の洗浄を行っているか否かなどを表示する。表示部１４４が表示する情報は、上記に限ることなく、衛生洗浄装置１２０の動作の状態に関する任意の情報でよい。
【００４７】
図３は、第１の実施形態にかかる衛生洗浄装置の要部構成を表すブロック図である。  
図３では、水路系と電気系の要部構成を併せて表している。  
図３に表したように、衛生洗浄装置１２０は、導水部１５０を有する。導水部１５０は、水道や貯水タンクなどの給水源ＷＳからノズル１３０に至る管路１５０ａを有する。導水部１５０は、管路１５０ａにより、給水源ＷＳから供給された水をノズル１３０に導く。管路１５０ａは、例えば、以下に説明する電磁弁１５１、熱交換器ユニット１５４、流路切替部１６１などの各部と、これらの各部を接続する複数の配管や流路と、によって形成される。
【００４８】
導水部１５０には、電磁弁１５１が設けられている。電磁弁１５１は、開閉可能な電磁バルブであり、本体部１２２の内部に設けられた制御部１７０からの指令に基づいて水の供給を制御する。換言すれば、電磁弁１５１は、管路１５０ａを開閉する。電磁弁１５１を開状態にすることにより、給水源ＷＳから供給された水が、管路１５０ａに流れる。
【００４９】
電磁弁１５１の下流には、調圧弁１５２が設けられている。調圧弁１５２は、給水圧が高い場合に、管路１５０ａ内の圧力を所定の圧力範囲に調整する。調圧弁１５２の下流には、逆止弁１５３が設けられている。逆止弁１５３は、管路１５０ａ内の圧力が低下した場合などに、逆止弁１５３よりも上流側への水の逆流を抑制する。
【００５０】
逆止弁１５３の下流には、熱交換器ユニット１５４（加熱部）が設けられている。熱交換器ユニット１５４は、ヒータを有し、給水源ＷＳから供給された水を加熱して例えば規定の温度まで昇温する。すなわち、熱交換器ユニット１５４は、温水を生成する。
【００５１】
熱交換器ユニット１５４は、例えばセラミックヒータなどを用いた瞬間加熱式（瞬間式）の熱交換器であり、貯湯タンクを用いた貯湯加熱式熱交換器と比較すると、短い時間で水を規定の温度まで昇温させることができる。なお、熱交換器ユニット１５４は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００５２】
熱交換器ユニット１５４は、制御部１７０と接続されている。制御部１７０は、例えば、使用者によるリモコン装置２００の操作に応じて熱交換器ユニット１５４を制御することにより、リモコン装置２００で設定された温度に水を昇温する。
【００５３】
熱交換器ユニット１５４の下流には、流量センサ１５５が設けられている。流量センサ１５５は、熱交換器ユニット１５４から吐出された水の流量を検知する。すなわち、流量センサ１５５は、管路１５０ａ内を流れる水の流量を検知する。流量センサ１５５は、制御部１７０に接続されている。流量センサ１５５は、流量の検知結果を制御部１７０に入力する。
【００５４】
流量センサ１５５の下流には、電解槽ユニット１５６が設けられている。電解槽ユニット１５６は、内部を流れる水道水を電気分解することにより、水道水から次亜塩素酸を含む液（機能水）を生成する。電解槽ユニット１５６は、制御部１７０に接続されている。電解槽ユニット１５６は、制御部１７０による制御に基づいて、機能水の生成を行う。
【００５５】
電解槽ユニット１５６において生成される機能水は、例えば、銀イオンや銅イオンなどの金属イオンを含む溶液であってもよい。あるいは、電解槽ユニット１５６において生成される機能水は、電解塩素やオゾンなどを含む溶液であってもよい。あるいは、電解槽ユニット１５６において生成される機能水は、酸性水やアルカリ水であってもよい。
【００５６】
電解槽ユニット１５６の下流には、バキュームブレーカ（ＶＢ）１５７が設けられている。バキュームブレーカ１５７は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ１５７は、導水部１５０に水の流れが無い時に、管路１５０ａ内に空気を取り込む。弁機構には、例えば、フロート弁が用いられる。
【００５７】
バキュームブレーカ１５７は、上記のように管路１５０ａ内に空気を取り込むことにより、例えば、管路１５０ａのバキュームブレーカ１５７よりも下流の部分の水抜きを促進させる。バキュームブレーカ１５７は、例えば、ノズル１３０の水抜きを促進する。このように、バキュームブレーカ１５７は、ノズル１３０内の水を抜いてノズル１３０内に空気を取り込むことにより、例えば、ノズル１３０内の洗浄水やボウル部１１２内に溜まった汚水などが、給水源ＷＳ（上水）側に逆流してしまうことを抑制する。
【００５８】
バキュームブレーカ１５７の下流には、圧力変調装置１５８が設けられている。圧力変調装置１５８は、導水部１５０の管路１５０ａ内の水の流れに脈動または加速を与え、ノズル１３０やノズル洗浄室１６２の吐水部から吐水される水に脈動を与える。すなわち、圧力変調装置１５８は、管路１５０ａ内を流れる水の流動状態を変動させる。圧力変調装置１５８は、制御部１７０に接続されている。圧力変調装置１５８は、制御部１７０による制御に基づいて、水の流動状態を変動させる。
【００５９】
圧力変調装置１５８の下流には、流量調整部１６０が設けられている。流量調整部１６０は、水勢（流量）の調整を行う。流量調整部１６０の下流には、流路切替部１６１が設けられている。流路切替部１６１は、ノズル１３０やノズル洗浄室１６２への給水の開閉や切替を行う。流量調整部１６０及び流路切替部１６１は、１つのユニットとして設けてもよい。流量調整部１６０及び流路切替部１６１は、制御部１７０に接続されている。流量調整部１６０及び流路切替部１６１の動作は、制御部１７０によって制御される。
【００６０】
流路切替部１６１の下流には、ノズル１３０、ノズル洗浄室１６２、及び噴霧ノズル１６３が設けられている。ノズル１３０は、ノズルモータ１３１からの駆動力を受け、便器１１０のボウル部１１２内に進出したり後退したりする。つまり、ノズルモータ１３１は、制御部１７０からの指令に基づいてノズル１３０を進退させる。
【００６１】
ノズル洗浄室１６２は、その内部に設けられた吐水部から機能水あるいは水を噴射することにより、ノズル１３０の外周表面（胴体）を洗浄する。噴霧ノズル１６３は、洗浄水や機能水をミスト状にしてボウル部１１２に噴霧する。この例では、人体を洗浄するためのノズル１３０とは別に噴霧ノズル１６３を設けている。これに限ることなく、ミスト状の液体をボウル部１１２に噴霧するための吐水口をノズル１３０に設けてもよい。
【００６２】
また、流路切替部１６１の下流には、おしり洗浄流路１６１ａと、やわらか洗浄流路１６１ｂと、ビデ洗浄流路１６１ｃと、が設けられている。おしり洗浄流路１６１ａ及びやわらか洗浄流路１６１ｂは、導水部１５０を介して給水源ＷＳから供給された水や電解槽ユニット１５６において生成された機能水をノズル１３０のおしり洗浄吐水口へ導く。ビデ洗浄流路１６１ｃは、導水部１５０を介して給水源ＷＳから供給された水や電解槽ユニット１５６において生成された機能水をノズル１３０のビデ洗浄吐水口へ導く。
【００６３】
また、流路切替部１６１の下流には、表面洗浄流路１６１ｄと、噴霧用流路１６１ｅと、が設けられている。表面洗浄流路１６１ｄは、導水部１５０を介して給水源ＷＳから供給された水や電解槽ユニット１５６において生成された機能水をノズル洗浄室１６２の吐水部へ導く。噴霧用流路１６１ｅは、導水部１５０を介して給水源ＷＳから供給される水や電解槽ユニット１５６において生成された機能水を噴霧ノズル１６３に導く。
【００６４】
制御部１７０は、流路切替部１６１を制御することにより、おしり洗浄流路１６１ａ、やわらか洗浄流路１６１ｂ、ビデ洗浄流路１６１ｃ、表面洗浄流路１６１ｄ、及び噴霧用流路１６１ｅの各流路の開閉を切り替える。このように、流路切替部１６１は、ビデ洗浄吐水口、おしり洗浄吐水口、ノズル洗浄室１６２、及び噴霧ノズル１６３などの複数の吐水口のそれぞれについて、管路１５０ａに連通させた状態と、管路１５０ａに連通させない状態と、を切り替える。
【００６５】
制御部１７０には、受信部１４０と表示部１４４とが接続されている。受信部１４０は、受光素子１４２が受光した光信号を電気信号に変換し、制御部１７０に入力する。これにより、リモコン装置２００の各操作部２０４において行われた操作指示が、衛生洗浄装置１２０の制御部１７０に入力される。制御部１７０は、入力された操作指示に応じた動作を実行する。
【００６６】
制御部１７０は、表示部１４４に接続され、各発光素子１４６ａ〜１４６ｄの点灯及び消灯を制御する。
【００６７】
衛生洗浄装置１２０は、電源回路１７１と、便座ヒータ１７２と、便蓋開閉駆動部１７３と、温風ファン１７４と、脱臭ファン１７５と、をさらに有する。電源回路１７１は、電力供給源ＰＳに接続され、電力供給源ＰＳから供給される電力を衛生洗浄装置１２０の各部に対応した電力に変換し、変換後の電力を各部に供給する。電力供給源ＰＳは、例えば、商用電源である。電源回路１７１は、例えば、交流電力を直流電力に変換し、直流電力を各部に供給する。制御部１７０は、電源回路１７１からの電力供給に応じて動作する。
【００６８】
便座ヒータ１７２は、例えば、便座１２４の内面に設けられ、便座１２４を内側から加熱することにより、便座１２４を所定の温度に温める。便座ヒータ１７２のオン・オフは、制御部１７０によって制御される。制御部１７０は、例えば、便座ヒータ１７２のオン・オフや、便座ヒータ１７２に供給する電力量などを制御することにより、リモコン装置２００で設定された温度に便座１２４の温度を調節する。
【００６９】
便蓋開閉駆動部１７３は、便蓋１２６に駆動力を伝達することにより、便蓋１２６を開閉させる。便蓋開閉駆動部１７３は、制御部１７０に接続され、制御部１７０からの指示に応じて便蓋１２６を開閉する。
【００７０】
温風ファン１７４は、温風ダンパー１３８に温風を供給する。温風ファン１７４は、制御部１７０に接続され、制御部１７０からの指示に応じて駆動することにより、温風ダンパー１３８に温風を供給する。制御部１７０は、リモコン装置２００からの局部乾燥機能の実行の指示に応じて、温風ファン１７４を駆動する。これにより、使用者の指示に応じて、温風ダンパー１３８から温風が吹き出される。
【００７１】
脱臭ファン１７５は、例えば、ボウル部１１２内の空気を吸引し、フィルタなどを通して臭気を除去した後、本体部１２２の外部に排出することにより、ボウル部１１２内の脱臭を行う。脱臭ファン１７５は、制御部１７０に接続され、制御部１７０からの指示に応じて駆動することにより、ボウル部１１２内の脱臭を行う。制御部１７０は、リモコン装置２００からの脱臭機能の実行の指示に応じて、脱臭ファン１７５を駆動する。これにより、使用者の指示に応じて、ボウル部１１２内の脱臭が行われる。
【００７２】
図４は、第１の実施形態に係るリモコン装置を表す平面図である。  
図４に表したように、リモコン装置２００は、本体部２０２と、複数の操作部２０４と、を有するとともに、赤外線照射窓２０５と、発光素子２０６（光発電素子）と、表示部２０８と、を有する。
【００７３】
本体部２０２は、例えば、直方体状である。各操作部２０４は、本体部２０２の前面２０２ａに設けられる。本体部２０２の前面２０２ａは、本体部２０２において、壁面に取り付けられる面と反対側の面である。換言すれば、前面２０２ａは、リモコン装置２００の取付壁面と実質的に同じ方向を向く面である。これにより、各操作部２０４を操作し易くすることができる。例えば、複数の操作部２０４の一部は、本体部２０２の上面２０２ｂに設けてもよい。本体部２０２の形状は、直方体状に限ることなく、任意の形状でよい。
【００７４】
各操作部２０４は、例えば、押しボタンスイッチである。各操作部２０４には、例えば、おしり洗浄の開始を指示するおしり洗浄ボタン、ビデ洗浄の開始を指示するビデ洗浄ボタン、局部乾燥の開始を指示する乾燥ボタン、衛生洗浄機能や局部乾燥機能の停止を指示する停止ボタン、衛生洗浄時に噴射される洗浄水の勢いを調節するための流量調節ボタン、ノズル１３０の位置を調節するためのノズル位置調節ボタンなどが含まれる。
【００７５】
赤外線照射窓２０５は、赤外光に対して透過性を有する。赤外線照射窓２０５は、本体部２０２の上面２０２ｂに設けられている。この例では、２つの赤外線照射窓２０５が本体部２０２に設けられる。各赤外線照射窓２０５は、本体部２０２の上面２０２ｂにおいて、幅方向に並べて設けられる。各赤外線照射窓２０５は、本体部２０２の上面２０２ｂにおいて、幅方向の両端部に設けられる。幅方向とは、より詳しくは、リモコン装置２００の取付壁面と平行な水平方向である。
【００７６】
発光素子２０６は、赤外線照射窓２０５と対向して本体部２０２内に設けられる。この例では、２つの赤外線照射窓２０５のそれぞれに対応した２つの発光素子２０６が、本体部２０２内に設けられる。各発光素子２０６は、本体部２０２の幅方向に並ぶ。各発光素子２０６は、本体部２０２の幅方向の両端部に設けられる。各発光素子２０６は、赤外光を照射する。各発光素子２０６は、各赤外線照射窓２０５を介して本体部２０２の外側に向けて赤外光を照射する。各発光素子２０６は、本体部２０２に上方に向けて設けられる。各発光素子２０６は、本体部２０２の上方に向けて赤外光を照射する。
【００７７】
リモコン装置２００は、各操作部２０４のいずれかが操作された際に、操作された操作部２０４に対応する光信号を各発光素子２０６から送信し、衛生洗浄装置１２０の受信部１４０に入射させる。これにより、リモコン装置２００の各操作部２０４の操作に応じた動作が、衛生洗浄装置１２０で実行される。
【００７８】
この際、上方に向けて各発光素子２０６を本体部２０２に設ける。これにより、各発光素子２０６から送信される光信号を、トイレ空間の天井に向けて発信することができ、天井での反射を介して衛生洗浄装置１２０の受信部１４０に光信号を適切に入射させることができる。
【００７９】
赤外線照射窓２０５及び発光素子２０６の数は、２つに限ることなく、１つでもよいし、３つ以上でもよい。赤外線照射窓２０５及び発光素子２０６の位置は、上記に限ることなく、衛生洗浄装置１２０の受信部１４０に光信号を適切に入射させることができる任意の位置でよい。
【００８０】
表示部２０８は、本体部２０２の前面２０２ａに設けられる。表示部２０８は、各種の設定などの種々の情報を表示する。表示部２０８には、液晶ディスプレイなどの周知のディスプレイが用いられる。表示部２０８は、必要に応じて設けられ、省略可能である。
【００８１】
図５は、第１の実施形態に係るリモコン装置の電気的構成を表すブロック図である。  
図５に表したように、リモコン装置２００は、制御部２１０と、電源回路２１２と、切替部２１４と、光検出回路２１６と、をさらに有する。
【００８２】
制御部２１０には、各操作部２０４が接続されている。各操作部２０４は、制御部２１０に所定の操作指示を入力する。制御部２１０は、各操作部２０４から入力された操作指示に応じて、リモコン装置２００の各部を統括的に制御する。
【００８３】
また、制御部２１０には、表示部２０８が接続されている。制御部２１０は、表示部２０８の表示を制御する。制御部２１０は、例えば、各操作部２０４から入力された操作指示に応じて、表示部２０８の表示を制御する。
【００８４】
電源回路２１２には、電池２１８が接続されている。電池２１８は、リモコン装置２００の本体部２０２に着脱可能に取り付けられ、電源回路２１２に直流電力を供給する。電源回路２１２は、電池２１８から供給された直流電力を変換し、変換後の直流電力を制御部２１０などの各部に供給する。電源回路２１２は、例えば、電池２１８の直流電力を制御部２１０に対応した電圧値の直流電力に変換し、制御部２１０に供給する。制御部２１０は、電源回路２１２からの電力供給に応じて動作を開始する。なお、リモコン装置２００の電源は、電池に限ることなく、商用電源などでもよい。
【００８５】
切替部２１４及び光検出回路２１６は、発光素子２０６に対応して設けられる。従って、この例では、２つの発光素子２０６に対応した２つの切替部２１４及び２つの光検出回路２１６がリモコン装置２００に設けられている。各切替部２１４のそれぞれの構成は、実質的に同じである。各光検出回路２１６のそれぞれの構成は、実質的に同じである。従って、ここでは、１つの切替部２１４及び光検出回路２１６についてのみ説明する。
【００８６】
切替部２１４は、発光素子２０６及び光検出回路２１６に接続されるとともに、抵抗２２０を介して電源電圧Ｖｃｃに接続されている。電源電圧Ｖｃｃは、例えば、電源回路２１２から供給される直流電圧である。切替部２１４は、発光素子２０６のアノードに接続されている。切替部２１４は、発光素子２０６のアノードの接続先を、電源回路２１２と光検出回路２１６とに切り替える。また、切替部２１４は、制御部２１０に接続されている。切替部２１４による接続経路の切り替えは制御部２１０によって制御される。
【００８７】
発光素子２０６のカソードは、共通電位に設定されている。発光素子２０６のカソードは、例えば、接地されている。これにより、発光素子２０６のアノードの接続先を電源回路２１２側にした場合には、電源電圧Ｖｃｃが発光素子２０６のアノードに供給され、発光素子２０６から赤外光が照射される。
【００８８】
発光素子２０６は、赤外光を照射する発光素子として機能するとともに、本体部２０２の外側から入射する光の光量に応じて発電を行う光発電素子としても機能することが知られている。発光素子２０６のアノードの接続先を光検出回路２１６側にした場合には、発光素子２０６の発電量が、光検出回路２１６に入力される。発光素子２０６のアノードの接続先を光検出回路２１６側にした場合には、発光素子２０６が光起電モード（太陽電池モード）で動作する。
【００８９】
光検出回路２１６は、例えば、比較器２１７を有する。比較器２１７は、非反転入力端子と、反転入力端子と、を有する。比較器２１７の非反転入力端子は、切替部２１４に接続されている。従って、発光素子２０６のアノードの接続先を光検出回路２１６側にした場合には、発光素子２０６の発電量が、比較器２１７の非反転入力端子に入力される。
【００９０】
比較器２１７の反転入力端子には、基準信号ＲＥＦが入力されている。これにより、比較器２１７は、発光素子２０６の発電量が基準信号ＲＥＦ以上である場合には、Ｈｉ（例えば＋５Ｖ）を出力し、発光素子２０６の発電量が基準信号ＲＥＦ未満である場合には、Ｌｏ（例えば０Ｖ）を出力する。比較器２１７は、より詳しくは、発光素子２０６に発生した光電流を、電流値の基準信号ＲＥＦと比較し、その比較結果を出力する。
【００９１】
発光素子２０６の発電量が基準信号ＲＥＦ以上である場合には、本体部２０２の周囲の照度が所定値以上であると考えることができる。そして、発光素子２０６の発電量が基準信号ＲＥＦ未満である場合には、本体部２０２の周囲の照度が所定値未満であると考えることができる。このように、光検出回路２１６は、発光素子２０６の発電量に応じて、本体部２０２の周囲の照度が所定値以上であるか否かを検出する。
【００９２】
光検出回路２１６は、制御部２１０に接続されている。光検出回路２１６は、検出結果を制御部２１０に入力する。光検出回路２１６には、例えば、セイコーインスツル株式会社製のＳ−５４７０シリーズが用いられる。これにより、例えば、リモコン装置２００の待機状態における消費電力を抑制することができる。
【００９３】
制御部２１０は、状態変化検知モードと、動作実行モードと、を有する。制御部２１０は、状態変化検知モードにおいては、発光素子２０６に発電を行わせ、光検出回路２１６に本体部２０２の周囲の照度を検出させる。そして、制御部２１０は、動作実行モードにおいては、発光素子２０６に赤外光を照射させる動作を実行する。すなわち、この例において、制御部２１０は、衛生洗浄装置１２０との赤外線通信を動作実行モードの所定の動作として実行する。
【００９４】
制御部２１０は、状態変化検知モードにおいて、照度が所定値以上であると検出された際に、状態変化検知モードから動作実行モードに切り替わり、所定の動作が終了した後、動作実行モードから状態変化検知モードに戻る。この例では、動作実行モードに切り替わった後、衛生洗浄装置１２０との赤外線通信が終了した後、状態変化検知モードに戻る。
【００９５】
例えば、一般住宅におけるトイレや浴室などの水回り空間においては、日中でも照度が低く、照明を点灯させて利用する場合が多い。従って、照度が所定値未満である場合には、トイレユニット１０が使用されていない待機状態であると考えることができる。そして、照度が所定値未満の状態から所定値以上の状態に切り替わった場合には、使用者がトイレユニット１０の使用を開始したと考えることができる。換言すれば、トイレユニット１０が待機状態から使用状態に切り替わったと考えることができる。状態変化検知モードは、換言すれば、トイレユニット１０の待機状態から使用状態への変化、及び、使用状態から待機状態への変化を検知するためのモードである。
【００９６】
リモコン装置２００の制御部２１０は、照度が所定値未満である場合、例えば、通常時よりも消費電力を低下させた節電制御を実行する。制御部２１０は、照度が所定値未満である場合、例えば、表示部２０８への電力供給を停止させ、表示部２０８をオフ状態にする。これにより、表示部２０８をオン状態にし続ける場合よりも待機時における消費電力を抑制することができる。
【００９７】
衛生洗浄装置１２０の制御部１７０は、例えば、リモコン装置２００から光検出回路２１６の検出結果を受信し、照度が所定値未満である場合、通常時よりも消費電力を低下させた節電制御を実行する。制御部１７０は、照度が所定値未満である場合、例えば、表示部１４４や便座ヒータ１７２をオフ状態にする。これにより、衛生洗浄装置１２０においても、待機時における消費電力を抑制することができる。
【００９８】
この例では、リモコン装置２００が、２つの発光素子２０６と、２つの光検出回路２１６と、を有する。照度の検出は、各発光素子２０６及び各光検出回路２１６の双方を用いて行ってもよいし、いずれか一方のみで行ってもよい。衛生洗浄装置１２０への光信号の送信は、各発光素子２０６の双方を用いて行ってもよいし、いずれか一方のみで行ってもよい。
【００９９】
図６は、第１の実施形態に係るトイレユニットの動作の一例を表すフローチャートである。  
図７は、第１の実施形態に係るトイレユニットの動作の一例を表すタイミングチャートである。  
図６及び図７に表したように、リモコン装置２００の制御部２１０は、電源回路２１２から電力が供給されると、まず状態変化検知モードで動作を開始する（図６のステップＳ１０１）。すなわち、制御部２１０は、切替部２１４を制御し、発光素子２０６のアノードの接続先を光検出回路２１６側にすることにより、本体部２０２の周囲の照度が所定値以上であるか否かを光検出回路２１６に検出させる。
【０１００】
制御部２１０は、光検出回路２１６によって状態変化が検知されたか否かを判定する。すなわち、比較器２１７の出力がＨｉになったか否かを判定する（図６のステップＳ１０２）。状態変化が検知されていない場合、制御部２１０は、光検出回路２１６の検出結果の判定を繰り返す。この際、制御部２１０は、節電制御を行う。例えば、表示部２０８をオフ状態にする。同様に、衛生洗浄装置１２０の制御部１７０は、状態変化が検知されていない場合、節電制御を行い、表示部１４４及び便座ヒータ１７２をオフ状態にする。
【０１０１】
制御部２１０は、光検出回路２１６によって状態変化が検知された場合、各操作部２０４の操作が検出されたか否かを判定する（図６のステップＳ１０３）。また、制御部２１０は、光検出回路２１６によって状態変化が検知された場合、例えば、一時的に状態変化検知モードから動作実行モードに切り替わり、状態変化の検知を表す光信号を発光素子２０６から送信してもよい。衛生洗浄装置１２０の制御部１７０は、状態変化の検知を表す光信号を受信すると、例えば、便座ヒータ１７２の加熱を開始し、便座１２４を所定の温度に温めるとともに、表示部１４４に動作状態を表示する。制御部１７０は、例えば、状態変化の検知に応答して、便蓋開閉駆動部１７３を駆動し、便蓋１２６を閉じ状態から開き状態に変化させてもよい。
【０１０２】
制御部２１０は、各操作部２０４のいずれかの操作が検出された場合、切替部２１４を電源回路２１２側に切り替えることにより、動作実行モードへ移行する（図６のステップＳ１０４、図７の時刻ｔ１１）。
【０１０３】
リモコン装置２００の制御部２１０は、動作実行モードへ移行すると、操作された操作部２０４の操作指示に対応した光信号を発光素子２０６から送信する（図６のステップＳ１０５、図７の時刻ｔ１１〜ｔ１２）。衛生洗浄装置１２０の制御部１７０は、光信号を受信すると、その光信号の操作指示に対応した動作を実行する。これにより、リモコン装置２００の各操作部２０４の操作に応じて、衛生洗浄装置１２０が遠隔操作される。
【０１０４】
制御部２１０は、光信号の送信を行った後、光信号の送信終了から所定時間が経過したか否かを判定する（図６のステップＳ１０６）。制御部２１０は、所定時間が経過していない場合、続いて各操作部２０４の操作が検出されたか否かを判定する（図６のステップＳ１０７）。制御部２１０は、操作が検出されていない場合には、ステップＳ１０６に戻り、光信号の送信終了から所定時間が経過したか否かを判定する。制御部２１０は、各操作部２０４のいずれかの操作が検出された場合には、ステップＳ１０５に戻り、操作された操作部２０４の操作指示に対応した光信号を発光素子２０６から送信する。そして、制御部２１０は、光信号の送信終了から所定時間が経過した場合、動作実行モードから状態変化検知モードに切り替わる（図６のステップＳ１０８、図７の時刻ｔ１３）。換言すれば、ステップＳ１０１に戻る。
【０１０５】
制御部２１０は、光検出回路２１６によって、本体部２０２の周囲の照度が所定値未満と検出された場合、節電制御を開始し、表示部２０８をオフ状態にする。この際、制御部２１０は、一時的に状態変化検知モードから動作実行モードに切り替わり、照度が所定値未満であることを表す光信号を発光素子２０６から送信してもよい。衛生洗浄装置１２０の制御部１７０は、照度が所定値未満であることを表す光信号を受信すると、例えば、便座ヒータ１７２の加熱の停止、表示部１４４の表示の停止、及び、便蓋１２６の閉じ動作などを実行する。
【０１０６】
このように、水回り機器の一実施形態であるリモコン装置２００は、発光素子２０６の発電量を基に、本体部２０２の周囲の照度が所定値以上であるか否かを検出するとともに、発光素子２０６から光信号を送信する動作を実行する。すなわち、発光素子２０６を用いた動作と、周囲の状態の変化の検知と、を発光素子２０６によって兼用することができる。従って、発光素子２０６を用いた動作を行う場合にも、周囲の状態の変化を検知するための検知センサなどを別途設ける必要がなく、発光素子２０６を用いた動作と、周囲の状態の変化の検知と、を簡単な構成で実現することができる。
【０１０７】
リモコン装置２００では、状態の変化を検知するための検知センサなどを設ける必要がなく、部品点数を抑制することができる。これにより、例えば、リモコン装置２００の大型化や製造コストを抑制することができる。また、検知センサのために透過窓などを別途設ける必要が無く、リモコン装置２００の意匠性を向上させることもできる。
【０１０８】
また、発光素子２０６を本体部２０２に上方に向けて設けることにより、発光素子２０６から送信される光信号を、トイレ空間の天井に向けて発信することができ、天井での反射を介して衛生洗浄装置１２０の受信部１４０に光信号を適切に入射させることができる。
【０１０９】
さらに、制御部２１０は、状態変化検知モードにおいて、照度が前記所定値以上であると検出された際に、操作指示の入力に応答して動作実行モードに切り替わり、操作指示に対応した光信号を発光素子２０６から送信するので、例えば、赤外線通信の送信部に用いられる発光素子２０６を照度の検出に兼用させた場合に、各操作部２０４からの操作指示の入力に応答して、適切に光信号の送信を行うことができる。
【０１１０】
また、上記実施形態のトイレユニット１０では、リモコン装置２００で検出された照度の結果を衛生洗浄装置１２０に入力し、衛生洗浄装置１２０の制御部１７０が状態変化の検知に応答して便蓋１２６の開閉などの所定の動作を実行する。これにより、例えば、状態検知の検知センサなどを衛生洗浄装置１２０から省略することができる。また、人体検知センサなどを衛生洗浄装置１２０に設けた場合には、例えば、ドアの外側を通過した人間などを誤検出してしまう可能性がある。これに対し、照度で検知を行う場合には、ドアの外側を通過する人間などの誤検出を抑制することができる。
【０１１１】
図８は、第１の実施形態に係るリモコン装置の変形例を表すブロック図である。  
図８に表したように、この例のリモコン装置２４０は、記憶部２４２をさらに有する。なお、上記実施形態と機能・構成上実質的に同じものについては、同符号を付し、詳細な説明を省略する。
【０１１２】
記憶部２４２には、履歴情報２４４が記憶されている。履歴情報２４４は、２つの光検出回路２１６による照度の検出結果を記憶する。履歴情報２４４は、例えば、所定値以上の状態から所定値未満の状態に変化するタイミング、所定値未満の状態から所定値以上の状態に変化するタイミング、及び、それらの各タイミングが発生した日時を関連付けて記憶する。
【０１１３】
記憶部２４２は、制御部２１０に接続されている。履歴情報２４４は、例えば、制御部２１０によって生成される。制御部２１０は、例えば、各光検出回路２１６の出力状態が変化する毎に、状態の変化の情報と、変化が発生した日時の情報と、を関連付けて記憶部２４２に記憶させることにより、履歴情報２４４を生成する。
【０１１４】
図９（ａ）及び図９（ｂ）は、トイレユニットの設置例を表す平面図である。  
図９（ａ）及び図９（ｂ）に表したように、トイレ空間ＴＳ（設置空間）の壁面ＷＬに取り付けられるリモコン装置２４０では、本体部２０２の幅方向に並ぶ２つの発光素子２０６において、トイレ空間ＴＳの入口ＥＴに近い側の発光素子２０６と、トイレ本体１００（衛生洗浄装置１２０）に近い側の発光素子２０６と、が生じる。図９（ａ）及び図９（ｂ）に表した例では、紙面上側に位置する発光素子２０６が、入口ＥＴに近く、紙面下側に位置する発光素子２０６が、衛生洗浄装置１２０に近い。
【０１１５】
制御部２１０は、記憶部２４２に記憶された履歴情報２４４を基に、２つの発光素子２０６について、トイレ空間ＴＳの入口ＥＴに近い発光素子２０６と、衛生洗浄装置１２０に近い発光素子２０６と、の識別を行う。
【０１１６】
例えば、トイレ空間ＴＳの入口ＥＴに近い側の発光素子２０６では、扉の開閉などにより、遠い側に比べて、照度が所定値以上と検出される可能性が高い。従って、制御部２１０は、例えば、２つの光検出回路２１６の照度の検出結果において、照度が所定値以上と検出された頻度（回数）に差がある場合、頻度の高い側を、入口ＥＴに近い側と識別する。
【０１１７】
また、例えば、トイレ空間ＴＳの入口ＥＴに近い側の発光素子２０６では、遠い側よりも先に照度が所定値以上となり、かつ遠い側よりも後に所定値未満となる可能性が高い。従って、制御部２１０は、例えば、２つの光検出回路２１６の照度の検出結果において、検出のタイミングが異なる場合、照度が所定値以上と検出されている期間が長い側を、入口ＥＴに近い側と識別する。
【０１１８】
制御部２１０は、上記のように、入口ＥＴに近い発光素子２０６と、衛生洗浄装置１２０に近い発光素子２０６と、を識別した場合、衛生洗浄装置１２０に近い側の発光素子２０６からのみ、光信号の送信を行う。これにより、２つの発光素子２０６の双方から光信号を出力する場合に比べて、光信号の送信にともなう消費電力を抑制することができる。また、衛生洗浄装置１２０に近い側から送信することで、一方の発光素子２０６からのみ光信号を送信する場合にも、光信号を適切に衛生洗浄装置１２０の受信部１４０に受信させることができる。
【０１１９】
また、制御部２１０は、上記のように、入口ＥＴに近い発光素子２０６と、衛生洗浄装置１２０に近い発光素子２０６と、を識別した場合、入口ＥＴに近い側の発光素子２０６のみで、照度の検出を行う。これにより、例えば、消費電力を抑制しつつ、適切に状態の変化を検知することができる。また、入口ＥＴに近い発光素子２０６で照度の検出を行い、衛生洗浄装置１２０に近い発光素子２０６で光信号の送信を行う。これにより、例えば、照度の検出と光信号の送信とを同時に行うことができる。
【０１２０】
さらに、制御部２１０は、上記の識別結果から、リモコン装置２４０の本体部２０２の取り付けの向きを識別する。制御部２１０は、例えば、リモコン装置２４０がトイレ本体１００に対して右側の壁面ＷＬに取り付けられているか、左側の壁面ＷＬに取り付けられているか、を識別する。制御部２１０は、例えば、入口ＥＴに近い側が、前方を向いていると判断し、取り付けの向きを識別する。そして、制御部２１０は、識別した向きに応じて、動作を変更する。制御部２１０は、例えば、識別した向きに応じて、各操作部２０４の操作指示の内容や表示部２０８の表示内容を変更する。
【０１２１】
例えば、ノズル１３０の位置を調節するためのノズル位置調節ボタンにおいては、使用者から見て前方に位置する操作部２０４が前進になり、使用者から見て後方に位置する操作部２０４が後退になるように、リモコン装置２４０の本体部２０２の取り付けの向きに応じて、各操作部２０４の操作指示の内容を変更する。
【０１２２】
これにより、例えば、誤操作を抑制し、リモコン装置２４０の使い勝手を向上させることができる。また、各光検出回路２１６の照度の検出結果を基に、本体部２０２の向きを自動的に識別して動作を変更することにより、設定の作業などを省略することができる。例えば、取り付け時の作業性を向上させることができる。
【０１２３】
なお、トイレ空間ＴＳの入口ＥＴに近い発光素子２０６と、衛生洗浄装置１２０に近い発光素子２０６と、の識別は、各操作部２０４の操作などにより、手動で設定できるようにしてもよい。
【０１２４】
（第２の実施形態）  
図１０は、第２の実施形態に係るリモコン装置を表す平面図である。  
図１０に表したように、リモコン装置２５０は、複数の発光部２５２ａ〜２５２ｆを有する。各発光部２５２ａ〜２５２ｆは、本体部２０２の前面２０２ａに設けられている。各発光部２５２ａ〜２５２ｆは、可視光を照射することにより、リモコン装置２５０の動作の状態を表示する。
【０１２５】
図１１は、第２の実施形態に係るリモコン装置の電気的構成を表すブロック図である。  図１１に表したように、リモコン装置２５０は、発光素子２５４を有する。発光素子２５４は、例えば、発光部２５２ａに用いられる。発光素子２５４は、可視光を照射する。発光素子２５４は、例えば、本体部２０２の内部に設けられ、本体部２０２に設けられた開口や透過窓などを介して、本体部２０２の外側に向けて可視光を照射する。発光素子２５４の照射する可視光の波長は、例えば、３８０ｎｍ〜７５０ｎｍ程度である。
【０１２６】
発光素子２５４は、切替部２１４に接続されている。すなわち、この例では、上記第１の実施形態で示した赤外光を照射する発光素子２０６が、可視光を照射する発光素子２０６に置き換えられている。このように、光発電素子は、赤外光を照射する発光素子２０６に限ることなく、可視光を照射する発光素子２５４でもよい。
【０１２７】
制御部２１０は、状態変化検知モードにおいて、照度が所定値以上であると検出された際に、発光素子２５４からの可視光の照射を所定の動作として実行する。すなわち、制御部２１０は、発光部２５２ａでの動作状態の表示を所定の動作として実行する。
【０１２８】
他の発光部２５２ｂ〜２５２ｆは、図示を省略した発光素子を有し、発光素子から可視光を照射することによって、動作状態の表示を行う。発光部２５２ｂ〜２５２ｆの各発光素子、及び、赤外光を照射する発光素子２０６は、制御部２１０において点灯及び消灯が制御可能に構成される。なお、発光素子２５４は、他の発光部２５２ｂ〜２５２ｆに用いてもよい。また、切替部２１４及び光検出回路２１６を複数設け、各発光部２５２ａ〜２５２ｆの複数の箇所において照度を検出できるようにしてもよい。
【０１２９】
図１２は、第２の実施形態に係るトイレユニットの動作の一例を表すフローチャートである。  
図１３は、第２の実施形態に係るトイレユニットの動作の一例を表すタイミングチャートである。  
図１２及び図１３に表したように、リモコン装置２５０の制御部２１０の動作において、ステップＳ２０１〜ステップＳ２０４は、上記第１の実施形態に関して説明したステップＳ１０１〜ステップＳ１０４と実質的に同じであるから、詳細な説明は、省略する。なお、この例において、制御部２１０は、本体部２０２の周囲の照度が所定値未満である場合に、例えば、各発光部２５２ａ〜２５２ｆの発光の停止を節電制御として実行する。
【０１３０】
制御部２１０は、照度が所定値以上であると検出され、かつ各操作部２０４のいずれかの操作に応答して動作実行モードへ移行した後、操作された操作部２０４に対応する発光部２５２ａ〜２５２ｆを発光させ、対応する発光部２５２ａ〜２５２ｆから所定時間可視光を照射する（図１２のステップＳ２０５、図１３の時刻ｔ２１〜ｔ２２）。また、この際、制御部２１０は、操作された操作部２０４の操作指示に対応した光信号を発光素子２０６から送信する。なお、例えば、電池２１８の残量を表示する発光部２５２ｆなど、各操作部２０４の操作と関係のない発光部については、照度が所定値以上と判定された時点において、発光させてもよい。
【０１３１】
制御部２１０は、対応する発光部２５２ａ〜２５２ｆを所定時間発光させた後、操作部２０４の操作から所定時間が経過したか否かを判定する（図１２のステップＳ２０６）。制御部２１０は、所定時間が経過していない場合、続いて各操作部２０４の操作が検出されたか否かを判定する（図１２のステップＳ２０７）。制御部２１０は、操作が検出されていない場合には、ステップＳ２０６に戻り、操作部２０４の操作から所定時間が経過したか否かを判定する。制御部２１０は、各操作部２０４のいずれかの操作が検出された場合には、ステップＳ２０５に戻り、対応する発光部２５２ａ〜２５２ｆを所定時間発光させる。そして、制御部２１０は、操作部２０４の操作から所定時間が経過した場合、動作実行モードから状態変化検知モードに切り替わる（図１２のステップＳ２０８、図１３の時刻ｔ２３）。換言すれば、ステップＳ２０１に戻る。
【０１３２】
制御部２１０は、光検出回路２１６によって、本体部２０２の周囲の照度が所定値未満と検出された場合、節電制御を開始し、各発光部２５２ａ〜２５２ｆの発光を停止させる。また、制御部２１０は、照度が所定値未満であることを表す光信号を発光素子２０６から送信する。衛生洗浄装置１２０の制御部１７０は、照度が所定値未満であることを表す光信号を受信すると、例えば、便座ヒータ１７２の加熱の停止、表示部１４４の表示の停止、及び、便蓋１２６の閉じ動作などを実行する。
【０１３３】
このように、本実施形態に係るリモコン装置２５０においても、動作状態の表示などを行う発光素子２５４を照度の検出に兼用させることができ、発光素子２５４を用いた動作と、周囲の状態の変化の検知と、を簡単な構成で実現することができる。
【０１３４】
（第３の実施形態）  
図１４は、第３の実施形態に係るリモコン装置の電気的構成を表すブロック図である。  図１４に表したように、リモコン装置２６０は、受光素子２６２と、切替部２６３、２６４と、赤外線受信回路２６６と、を有する。
【０１３５】
受光素子２６２は、本体部２０２内に設けられる。受光素子２６２は、赤外光を受光する。受光素子２６２は、例えば、赤外光に対して感度を有するフォトダイオードである。受光素子２６２は、例えば、本体部２０２に設けられた開口や赤外線透過窓（いずれも図示は省略）などを介して本体部２０２の外側から入射する光を受光する。受光素子２６２は、本体部２０２に上方に向けて設けられる。受光素子２６２は、本体部２０２の上方から入射する赤外光を受光する。
【０１３６】
受光素子２６２は、例えば、衛生洗浄装置１２０から送信された赤外光の光信号を受信する。すなわち、リモコン装置２６０は、赤外線通信の受光部を有する。リモコン装置２６は、衛生洗浄装置１２０から送信された光信号を受信し、その光信号に応じた動作を実行する。これにより、例えば、リモコン装置２６０だけでは知りえない衛生洗浄装置１２０の状態の情報を得ることができる。例えば、リモコン装置２６０に対して、便座１２４の温度の情報、洗浄水の勢いや温度の情報、衛生洗浄装置１２０が正常に動作しているか故障しているかの情報などを入力することができる。
【０１３７】
切替部２６３は、受光素子２６２及び光検出回路２１６に接続されるとともに、共通電位の端子に接続されている。切替部２６３は、受光素子２６２のアノードに接続されている。切替部２６３は、受光素子２６２のアノードの接続先を、共通電位の端子と光検出回路２１６とに切り替える。
【０１３８】
切替部２６４は、受光素子２６２及び赤外線受信回路２６６に接続されるとともに、共通電位の端子に接続されている。切替部２６４は、受光素子２６２のカソードに接続されている。切替部２６４は、受光素子２６２のカソードの接続先を、共通電位の端子と赤外線受信回路２６６とに切り替える。
【０１３９】
各切替部２６３、２６４は、制御部２１０に接続されている。各切替部２６３、２６４による接続経路の切り替えは、制御部２１０によって制御される。
【０１４０】
受光素子２６２は、赤外光を受光する受光素子として機能するとともに、本体部２０２の外側から入射する可視光の光量に応じて発電を行う光発電素子としても機能する。
【０１４１】
制御部２１０は、状態変化検知モードの時に、受光素子２６２のアノードを光検出回路２１６に接続し、受光素子２６２のカソードを共通電位の端子に接続する。これにより、上記各実施形態と同様に、受光素子２６２が光起電モードで動作し、可視光の受光にともなう受光素子２６２の発電量が、光検出回路２１６に入力される。
【０１４２】
そして、制御部２１０は、動作実行モードの時に、受光素子２６２のアノードを共通電位の端子に接続し、受光素子２６２のカソードを赤外線受信回路２６６に接続する。これにより、受光素子２６２が光導電モードで動作し、衛生洗浄装置１２０から送信された赤外光の光信号の受光にともなう受光素子２６２の発電量が、赤外線受信回路２６６に入力される。換言すれば、受光素子２６２は、受信した光信号を電気信号に変換して赤外線受信回路２６６に入力する。
【０１４３】
赤外線受信回路２６６は、例えば、アンプやフィルタなどを含み、受光素子２６２から入力された電気信号の波形整形などを行って制御部２１０に入力する。これにより、衛生洗浄装置１２０から送信された情報が、制御部２１０に入力される。
【０１４４】
制御部２１０は、状態変化検知モードにおいて、照度が所定値以上であると検出された際に、状態変化検知モードから動作実行モードに切り替わり、所定の動作が終了した後、動作実行モードから状態変化検知モードに戻る。制御部２１０は、例えば、受光素子２６２による光信号の受信を所定の動作として実行する。そして、制御部２１０は、例えば、大または小の便器洗浄ボタンの操作や停止ボタンの操作など、トイレユニットの使用終了の操作指示が入力されたことに応答して、動作実行モードから状態変化検知モードに戻る。このように、光発電素子は、発光素子２０６、２５４に限ることなく、赤外線通信に用いられる受光素子２６２などでもよい。
【０１４５】
（第４の実施形態）  
図１５は、第４の実施形態に係る衛生洗浄装置の一部の電気的構成を表すブロック図である。  
図１５に表したように、衛生洗浄装置３００は、光検出回路３０２と、切替部３０３、３０４と、赤外線受信回路３０６と、を有する。光検出回路３０２、切替部３０３、３０４、及び赤外線受信回路３０６は、上記第３の実施形態に関して説明した光検出回路２１６、切替部２６３、２６４、及び赤外線受信回路２６６と実質的に同じであるから、詳細な説明は省略する。すなわち、この例は、水回り機器の別の実施形態として、衛生洗浄装置３００の赤外線通信に用いられる受光素子１４２を光発電素子とし、赤外線通信の受信部１４０に用いられる受光素子１４２を照度の検出に兼用させた例である。
【０１４６】
この例では、衛生洗浄装置３００の制御部１７０が、状態変化検知モードと、動作実行モードと、を有する。制御部１７０は、状態変化検知モードにおいては、受光素子１４２に発電を行わせ、光検出回路３０２に本体部１２２の周囲の照度を検出させる。そして、制御部１７０は、動作実行モードにおいては、受光素子１４２に赤外光の光信号を受光させる動作を実行する。すなわち、この例において、制御部１７０は、リモコン装置２００との赤外線通信を動作実行モードの所定の動作として実行する。
【０１４７】
図１６は、第４の実施形態に係るトイレユニットの動作の一例を表すフローチャートである。  
図１７は、第４の実施形態に係るトイレユニットの動作の一例を表すタイミングチャートである。  
図１６及び図１７に表したように、衛生洗浄装置３００の制御部１７０は、電源回路１７１から電力が供給されると、まず状態変化検知モードで動作を開始する（図１６のステップＳ３０１）。すなわち、制御部１７０は、各切替部３０３、３０４を制御し、受光素子１４２のアノードを光検出回路３０２に接続し、受光素子１４２のカソードを共通電位の端子に接続することにより、本体部１２２の周囲の照度が所定値以上であるか否かを光検出回路３０２に検出させる。
【０１４８】
制御部１７０は、光検出回路３０２によって状態変化が検知されたか否かを判定する。すなわち、比較器２１７の出力がＨｉになったか否かを判定する（図１６のステップＳ３０２）。状態変化が検知されていない場合、制御部１７０は、光検出回路３０２の検出結果の判定を繰り返す。この際、制御部１７０は、節電制御を行う。例えば、表示部１４４及び便座ヒータ１７２をオフ状態にする。
【０１４９】
制御部１７０は、光検出回路３０２によって状態変化が検知された場合、各切替部３０３、３０４を切り替え、受光素子１４２のアノードを共通電位の端子に接続し、受光素子１４２のカソードを赤外線受信回路３０６に接続することにより、動作実行モードへ移行する（図１６のステップＳ３０３、図１７の時刻ｔ３１）。
【０１５０】
また、制御部１７０は、状態変化を検知すると、例えば、便座ヒータ１７２の加熱を開始し、便座１２４を所定の温度に温めるとともに、表示部１４４に動作状態を表示する。制御部１７０は、例えば、状態変化の検知に応答して、便蓋開閉駆動部１７３を駆動し、便蓋１２６を閉じ状態から開き状態に変化させてもよい。
【０１５１】
制御部１７０は、動作実行モードへ移行すると、所定時間内にリモコン装置２００から光信号を受信したか否かを判定する（図１６のステップＳ３０４）。
【０１５２】
制御部１７０は、所定時間内に光信号を受信しなかった場合、動作実行モードから状態変化検知モードに戻る（図１６のステップＳ３０５）。すなわち、ステップＳ３０１に戻る。
【０１５３】
制御部１７０は、所定時間内に光信号を受信した場合、続いて、受信した光信号が使用終了の操作指示か否かを判定する（図１６のステップＳ３０６）。使用終了の操作指示とは、例えば、大または小の便器洗浄ボタンの操作を表す操作指示である。
【０１５４】
制御部１７０は、使用終了の操作指示ではないと判定した場合、受信した操作指示の内容に応じて、衛生洗浄装置３００の所定の機器の動作を制御する（図１６のステップＳ３０７、図１７の時刻ｔ３２）。この後、制御部１７０は、ステップＳ３０４に戻り、所定時間内にリモコン装置２００から光信号を受信したか否かの判定を行う。
【０１５５】
一方、制御部１７０は、使用終了の操作指示であると判定した場合、使用終了に対応する所定の機器の動作を制御する（図１６のステップＳ３０８、図１７の時刻ｔ３３）。この後、制御部１７０は、動作実行モードから状態変化検知モードに戻る（図１６のステップＳ３０９、図１７の時刻ｔ３４）。
【０１５６】
また、制御部１７０は、状態変化検知モードに戻り、照度が所定値未満であると検出すると、例えば、便座ヒータ１７２の加熱の停止、表示部１４４の表示の停止、及び、便蓋１２６の閉じ動作などを実行する。
【０１５７】
このように、水回り機器の別の一実施形態である衛生洗浄装置３００においても、受光素子１４２を用いた動作と、周囲の状態の変化の検知と、を受光素子１４２によって兼用することができる。受光素子１４２を用いた動作と、周囲の状態の変化の検知と、を簡単な構成で実現することができる。衛生洗浄装置３００においても、部品点数を抑制し、大型化や製造コストを抑制することができる。検知センサのために透過窓などを別途設ける必要が無く、意匠性を向上させることもできる。
【０１５８】
（第５の実施形態）  
図１８は、第５の実施形態に係る衛生洗浄装置の一部の電気的構成を表すブロック図である。  
図１８に表したように、衛生洗浄装置３１０は、切替部３１２と、抵抗３１４と、を有する。切替部３１２は、衛生洗浄装置３１０の表示部１４４に設けられた発光素子１４６ａ及び光検出回路３０２に接続されるとともに、抵抗３１４を介して電源電圧Ｖｃｃに接続されている。
【０１５９】
切替部３１２は、第１の実施形態に関して説明した光検出回路２１６などと同様であるから、詳細な説明は、省略する。すなわち、この例は、衛生洗浄装置３１０の動作の状態を表示する表示部１４４に用いられる発光素子１４６ｄを光発電素子とし、可視光による動作状態の表示に用いられる発光素子１４６ｄを照度の検出に兼用させた例である。
【０１６０】
表示部１４４の他の発光素子１４６ａ〜１４６ｃは、制御部１７０によって点灯及び消灯が制御可能に構成されている。なお、照度の検出との兼用は、表示部１４４の他の発光素子１４６ａ〜１４６ｃで行ってもよい。また、切替部３１２及び光検出回路３０２などを複数設け、表示部１４４の各発光素子１４６ａ〜１４６ｄの複数の箇所において照度を検出できるようにしてもよい。
【０１６１】
衛生洗浄装置３１０の制御部１７０は、状態変化検知モードにおいては、発光素子１４６ｄに発電を行わせ、光検出回路３０２に本体部１２２の周囲の照度を検出させる。そして、制御部１７０は、動作実行モードにおいては、発光素子１４６ｄに可視光を照射させる動作を実行する。この例において、制御部１７０は、衛生洗浄装置３１０の動作状態の表示を所定の動作として実行する。
【０１６２】
図１９は、第５の実施形態に係るトイレユニットの動作の一例を表すフローチャートである。  
図２０は、第５の実施形態に係るトイレユニットの動作の一例を表すタイミングチャートである。  
図１９及び図２０に表したように、衛生洗浄装置３１０の制御部１７０は、電源回路１７１から電力が供給されると、まず状態変化検知モードで動作を開始する（図１９のステップＳ４０１）。すなわち、制御部１７０は、切替部３１２を制御し、発光素子１４６ｄのアノードを光検出回路３０２に接続することにより、本体部１２２の周囲の照度が所定値以上であるか否かを光検出回路３０２に検出させる。
【０１６３】
制御部１７０は、光検出回路３０２によって状態変化が検知されたか否かを判定する。すなわち、比較器２１７の出力がＨｉになったか否かを判定する（図１９のステップＳ４０２）。状態変化が検知されていない場合、制御部１７０は、光検出回路３０２の検出結果の判定を繰り返す。この際、制御部１７０は、節電制御を行う。例えば、表示部１４４及び便座ヒータ１７２をオフ状態にする。
【０１６４】
制御部１７０は、状態変化を検知すると、例えば、便座ヒータ１７２の加熱を開始し、便座１２４を所定の温度に温めるとともに、表示部１４４に動作状態を表示する。制御部１７０は、例えば、表示部１４４の発光素子１４６ａを発光させることにより、正常な運転状態であることを表示する。例えば、便座１２４の加熱を行っている場合には、発光素子１４６ｂを発光させることにより、便座１２４の加熱中であることを表示する。そして、節電動作中である場合には、発光素子１４６ｃを発光させることにより、節電動作中であることを表示する。制御部１７０は、例えば、状態変化の検知に応答して、便蓋開閉駆動部１７３を駆動し、便蓋１２６を閉じ状態から開き状態に変化させてもよい。
【０１６５】
また、制御部１７０は、状態変化を検知すると、続いて、可視光発光命令を検知したか否かを判定する（図１９のステップＳ４０３）。制御部１７０は、可視光発光命令を検知していない場合、ステップＳ４０２に戻り、状態変化を検知したか否かの判定、及び、可視光発光命令を検知したか否かの判定を繰り返す。
【０１６６】
一方、制御部１７０は、可視光発光命令を検知した場合、切替部３１２を切り替え、発光素子１４６ｄのアノードを電源回路１７１側に接続することにより、動作実行モードへ移行する（図１９のステップＳ４０４、図２０の時刻ｔ４１）。
【０１６７】
制御部１７０は、動作実行モードに移行すると、表示部１４４の発光素子１４６ｄを所定時間発光させることにより、発光素子１４６ｄから可視光を照射する（図１９のステップＳ４０５、図２０の時刻ｔ４１〜ｔ４２）。
【０１６８】
制御部１７０は、例えば、リモコン装置２００からの操作指示の入力などにより、電解槽ユニット１５６で生成された機能水を用いてノズル１３０の洗浄を行う指示や、機能水を噴霧ノズル１６３から便器１１０のボウル部１１２に噴霧してボウル部１１２の洗浄を行う指示などを検知した際に、これらの処理を実行するとともに、発光素子１４６ｄを発光させることにより、洗浄の実行を使用者などに表示する。
【０１６９】
制御部１７０は、発光素子１４６ｄを所定時間発光させた後、動作実行モードから状態変化検知モードに戻る（図１９のステップＳ４０６、図２０の時刻ｔ４２）。すなわち、ステップＳ４０１に戻る。
【０１７０】
このように、衛生洗浄装置３１０においても、発光素子１４６ｄを用いた動作と、周囲の状態の変化の検知と、を発光素子１４６ｄによって兼用することができる。発光素子１４６ｄを用いた動作と、周囲の状態の変化の検知と、を簡単な構成で実現することができる。衛生洗浄装置３１０においても、部品点数を抑制し、大型化や製造コストを抑制することができる。検知センサのために透過窓などを別途設ける必要が無く、意匠性を向上させることもできる。
【０１７１】
例えば、衛生洗浄装置にリモコン装置への送信機能を持たせた場合には、赤外光の光信号を送信する発光素子を光発電素子として用いてもよい。この場合には、例えば、上記第１の実施形態に関して説明した切替部２１４や光検出回路２１６などと同様の構成を採用することができる。
【０１７２】
このように、光発電素子は、赤外光を照射する発光素子でもよいし、可視光を照射する発光素子でもよいし、赤外光を受光する受光素子でもよい。発光素子には、例えば、発光ダイオードが用いられる。受光素子には、例えば、フォトダイオードが用いられる。光発電素子は、これらに限ることなく、本体部の外側から入射する光の光量に応じて発電を行うとともに、発光素子又は受光素子としても機能可能な任意の素子でよい。
【０１７３】
上記各実施形態では、トイレ装置として、衛生洗浄装置を示している。トレイ装置は、衛生洗浄装置に限ることなく、例えば、便座の暖房機能のみを有する暖房便座などでもよい。
【０１７４】
また、上記各実施形態では、水回り機器として、トイレ空間で用いられるリモコン装置やトイレ装置などを示している。水回り機器は、これらに限ることなく、例えば、浴室内で用いられるリモコン装置などでもよい。
【０１７５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１２０、リモコン装置２００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１７６】
１０ トイレユニット、  １００ トイレ本体、  １１０ 洋式腰掛便器、  １１２ ボウル部、  １２０、３００、３１０ 衛生洗浄装置、  １２２ 本体部、  １２４ 便座、  １２６ 便蓋、  １３０ ノズル、  １３１ ノズルモータ、  １３６ ノズルダンパー、  １３８ 温風ダンパー、  １４０ 受信部、  １４１ 赤外線透過窓、  １４２ 受光素子、  １４４ 表示部、  １４５ａ〜１４５ｄ 表示窓、  １４６ａ〜１４６ｄ 発光素子、  １５０ 導水部、  １５０ａ 管路、  １５１ 電磁弁、  １５２ 調圧弁、  １５３ 逆止弁、  １５４ 熱交換器ユニット、  １５５ 流量センサ、  １５６ 電解槽ユニット、  １５７ バキュームブレーカ、  １５８ 圧力変調装置、  １６０ 流量調整部、  １６１ 流路切替部、  １６２ ノズル洗浄室、  １６３ 噴霧ノズル、  １７０ 制御部、  １７１ 電源回路、  １７２ 便座ヒータ、  １７３ 便蓋開閉駆動部、  １７４ 温風ファン、  １７５ 脱臭ファン、  ２００、２４０、２５０、２６０ リモコン装置、  ２０２ 本体部、  ２０４ 操作部、  ２０５ 赤外線照射窓、  ２０６ 発光素子、  ２０８ 表示部、  ２１０ 制御部、  ２１２ 電源回路、  ２１４ 切替部、  ２１６ 光検出回路、  ２１７ 比較器、  ２１８ 電池、  ２２０ 抵抗、  ２４２ 記憶部、  ２４４ 履歴情報、  ２５２ａ〜２５２ｆ 発光部、  ２５４ 発光素子、  ２６２ 受光素子、  ２６３、２６４ 切替部、  ２６６ 赤外線受信回路、  ３０２ 光検出回路、  ３０３、３０４ 切替部、  ３０６ 赤外線受信回路、  ３１２ 切替部、  ３１４ 抵抗
【図１】
0006607519.tif 000002
【図２】
0006607519.tif 000003
【図３】
0006607519.tif 000004
【図４】
0006607519.tif 000005
【図５】
0006607519.tif 000006
【図６】
0006607519.tif 000007
【図７】
0006607519.tif 000008
【図８】
0006607519.tif 000009
【図９】
0006607519.tif 000010
【図１０】
0006607519.tif 000011
【図１１】
0006607519.tif 000012
【図１２】
0006607519.tif 000013
【図１３】
0006607519.tif 000014
【図１４】
0006607519.tif 000015
【図１５】
0006607519.tif 000016
【図１６】
0006607519.tif 000017
【図１７】
0006607519.tif 000018
【図１８】
0006607519.tif 000019
【図１９】
0006607519.tif 000020
【図２０】
0006607519.tif 000021